(57)【要約】【課題】洗浄用ボールを確実に収縮させながら、洗浄用ボールの損傷を防止する。【解決手段】液体を通過させる液体通流路の洗浄に用いられるスポンジ製の洗浄用ボールＢに液体Ｗを含浸させる洗浄用ボール含液処理装置において、液体Ｗを貯留する液体貯留空間１３と、洗浄用ボールＢを保持する第一のカップ８１及び第二のカップ９２を備えた。第一のカップ８１と第二のカップ９１は、液体貯留空間１３内で近接及び離隔することが可能であり、かつ、第一のカップ８１と第二のカップ９１の間に洗浄用ボールＢを挟んだ状態で互いに近接することにより、洗浄用ボールＢをボール状のまま収縮させることが可能な形状とした。【選択図】図１
2008175435.tif 000002
【特許請求の範囲】
【請求項１】
液体を通過させる液体通流路の洗浄に用いられるスポンジ製の洗浄用ボールに液体を含浸させる洗浄用ボール含液処理装置であって、
液体を貯留する貯留空間と、
洗浄用ボールを保持する第一のカップ及び第二のカップを備え、
前記第一のカップと前記第二のカップは、前記貯留空間内で近接及び離隔することが可能であり、かつ、前記第一のカップと前記第二のカップの間に洗浄用ボールを挟んだ状態で互いに近接することにより、洗浄用ボールをボール状のまま収縮させることが可能な形状を有することを特徴とする、洗浄用ボール含液処理装置。
【請求項２】
前記第一のカップは、洗浄用ボールの下部を保持し、
前記第二のカップは、洗浄用ボールの上部を保持することを特徴とする、請求項１に記載の洗浄用ボール含液処理装置。
【請求項３】
前記第一のカップの内面及び／又は前記第二のカップの内面は、略円形の横断面形状を有し、かつ、略円錐曲線に沿った縦断面形状を有することを特徴とする、請求項１又は２に記載の洗浄用ボール含液処理装置。
【請求項４】
前記第一のカップ及び／又は前記第二のカップに、液体を通過させる複数の通過孔を開口させたことを特徴とする、請求項１〜３のいずれかに記載の洗浄用ボール含液処理装置。
【請求項５】
前記第一のカップと前記第二のカップをそれぞれ複数備えることを特徴とする、請求項１〜４のいずれかに記載の洗浄用ボール含液処理装置。
【請求項６】
複数の洗浄用ボールを保持する第一のボール保持具と第二のボール保持具とを備え、
前記第一のカップは、前記第一のボール保持具の一面側に取り付けられ、
前記第二のカップは、前記第二のボール保持具の一面側に取り付けられ、
前記第一のボール保持具と前記第二のボール保持具を互いに近接及び離隔させる動力を与える保持具移動機構を備えることを特徴とする、請求項５に記載の洗浄用ボール含液処理装置。
【請求項７】
前記第一のボール保持具は、第一のボール保持具支持部によって前記貯留空間内に支持され、
前記第二のボール保持具は、前記第一のボール保持具支持部によって支持された前記第一のボール保持具に対して、前記保持具移動機構によって移動させられる構成としたことを特徴とする、請求項６に記載の洗浄用ボール含液処理装置。
【請求項８】
前記保持具移動機構は、前記第二のボール保持具を上方から押圧する押圧部材を備えることを特徴とする、請求項６又は７に記載の洗浄用ボール含液処理装置。
【請求項９】
前記保持具移動機構は、前記貯留空間を閉塞する蓋体に設けられていることを特徴とする、請求項６〜８のいずれかに記載の洗浄用ボール含液処理装置。
【請求項１０】
前記第一のボール保持具と前記第二のボール保持具を互いに近接又は離隔させる際に前記第一のボール保持具又は前記第二のボール保持具をガイドする保持具ガイド部材を設けたことを特徴とする、請求項６〜９のいずれかに記載の洗浄用ボール含液処理装置。
【請求項１１】
前記第一のボール保持具に洗浄用ボールを収容させるためのボール配列用冶具を備え、
前記ボール配列用冶具は、洗浄用ボールを１個ずつ通過させる配列用穴を複数備え、
前記配列用穴は、前記複数の第一のカップの各開口部に連通する位置にそれぞれ設けられていることを特徴とする、請求項６〜１０のいずれかに記載の洗浄用ボール含液処理装置。
【請求項１２】
前記ボール配列用冶具は、前記複数の配列用穴が設けられた配列板と、前記複数の配列用穴を囲む側壁とを備えることを特徴とする、請求項１１に記載の洗浄用ボール含液処理装置。
【請求項１３】
液体を通過させる液体通流路の洗浄に用いられるスポンジ製の洗浄用ボールに液体を含浸させる洗浄用ボール含液処理方法であって、
洗浄用ボールを第一のカップと第二のカップとの間に挟み、前記第一のカップと前記第二のカップとを互いに近接させることにより、洗浄用ボールをボール状のまま収縮させ、
前記収縮させた状態の洗浄用ボールを液体に浸漬させ、
前記液体中において前記第一のカップと前記第二のカップを互いに離隔させ、洗浄用ボールを膨張させることを特徴とする、洗浄用ボール含液処理方法。
【請求項１４】
前記第一のカップに洗浄用ボールを収容した後、前記第一のカップに対して前記第二のカップを近接させることを特徴とする、請求項１３に記載の洗浄用ボール含液処理方法。
【請求項１５】
複数の前記第一のカップと複数の前記第二のカップをそれぞれ互いに近接させることにより、複数の洗浄用ボールを一括して収縮させ、
前記複数の第一のカップと前記複数の第二のカップをそれぞれ互いに離隔させることにより、前記複数の洗浄用ボールを一括して膨張させることを特徴とする、請求項１３又は１４に記載の洗浄用ボール含液処理方法。
【発明の詳細な説明】
【技術分野】
【０００１】
本発明は、例えば蒸気タービン用復水器等の熱交換器内に設けられている冷却水の伝熱管路等、液体通流路の洗浄に用いられる洗浄用ボールに液体を含浸させるための含液処理装置及び含液処理方法に関する。
【背景技術】
【０００２】
例えば発電設備等の各種プラントには、蒸気タービン等から排出される蒸気を冷却し、水蒸気を復水（凝縮）させるための熱交換器、即ち、復水器が備えられている。かかる復水器内には、冷却水を流通させる冷却水用流路が設けられている。この冷却水用流路を洗浄する方法として、多数のスポンジ製の洗浄用ボールを冷却水中に混入させ、冷却水と共に冷却水用流路内に通過させ、洗浄用ボールの摩擦力によって異物を除去するものが知られている。
【０００３】
しかし、洗浄用ボールはスポンジ構造であり、通常の状態では多数の細孔内に空気を含んだ状態になっており、そのままでは冷却水を含み難く、比重が軽いため、冷却水中で上方に浮遊し易い問題がある。この場合、冷却水用流路の洗浄が下方まで均一に行われなかったり、洗浄効果が低下したりするおそれがある。従って、洗浄用ボールを冷却水中に投入する前に、洗浄用ボールを冷却水に浸水させ、洗浄用ボール中の細孔から空気を強制的に追い出し、細孔に冷却水を含浸（含水）させる必要がある。そのような処理を行う方法としては、作業員が洗浄用ボールを冷却水内で手作業によって揉む方法があるが、洗浄用ボールの個数は数百個程度にも及ぶことがあり、そのような多数の洗浄用ボールを手揉みする作業には長時間を要し、作業員の負担が大きい。そのため、洗浄用ボールの含水処理（含液処理）を効率的に行うための装置が提案されている。
【０００４】
かかる含液処理装置としては、冷却水を貯留した容器内に複数の洗浄用ボールを入れ、容器内で平板を移動させることにより、洗浄用ボールを冷却水中で一括して変形させるものが提案されている（特許文献１、２参照）。かような装置では、複数の洗浄用ボールを平板と容器内面（底面又は奥面）との間において収縮させることにより、各洗浄用ボールから空気を強制的に追い出し、その後、平板を洗浄用ボールから離隔させることにより、各洗浄用ボールが冷却水中で元の形状（ボール状）に自然に戻るようにしている。これにより、複数の洗浄用ボールに冷却水を一括して吸収させるようになっている。
【０００５】
【特許文献１】特開昭６０−１６９０９７号公報
【特許文献２】特開昭６３−３１８４９８号公報
【発明の開示】
【発明が解決しようとする課題】
【０００６】
しかしながら、従来の含液処理装置にあっては、洗浄用ボールを収縮させる際、各洗浄用ボールが均一に加圧されず、十分に変形しない洗浄用ボールが発生することがあった。そのため、総ての洗浄用ボールに対して冷却水を確実に含浸させることが難しかった。また、洗浄用ボールを一方向（平板の移動方向）において集中的に加圧し、扁平に押し潰す構造になっているが、この場合、洗浄用ボールが損傷しやすい問題があった。
【０００７】
本発明は、上記の点に鑑みてなされたものであり、洗浄用ボールを確実に収縮させることができ、さらに、洗浄用ボールの損傷を防止できる洗浄用ボール含液処理装置及び洗浄用ボール含液処理方法を提供することを目的とする。
【課題を解決するための手段】
【０００８】
上記課題を解決するため、本発明によれば、液体を通過させる液体通流路の洗浄に用いられるスポンジ製の洗浄用ボールに液体を含浸させる洗浄用ボール含液処理装置であって、液体を貯留する貯留空間と、洗浄用ボールを保持する第一のカップ及び第二のカップを備え、前記第一のカップと前記第二のカップは、前記貯留空間内で近接及び離隔することが可能であり、かつ、前記第一のカップと前記第二のカップの間に洗浄用ボールを挟んだ状態で互いに近接することにより、洗浄用ボールをボール状のまま収縮させることが可能な形状を有することを特徴とする、洗浄用ボール含液処理装置が提供される。
【０００９】
前記第一のカップは、洗浄用ボールの下部を保持し、前記第二のカップは、洗浄用ボールの上部を保持するとしても良い。前記第一のカップの内面及び／又は前記第二のカップの内面は、略円形の横断面形状を有し、かつ、略円錐曲線に沿った縦断面形状を有するとしても良い。また、前記第一のカップ及び／又は前記第二のカップには、液体を通過させる複数の通過孔を開口させても良い。前記第一のカップと前記第二のカップは、それぞれ複数備えても良い。
【００１０】
また、複数の洗浄用ボールを保持する第一のボール保持具と第二のボール保持具とを備えても良い。前記第一のカップは、前記第一のボール保持具の一面側に取り付けても良い。前記第二のカップは、前記第二のボール保持具の一面側に取り付けても良い。さらに、前記第一のボール保持具と前記第二のボール保持具を互いに近接及び離隔させる動力を与える保持具移動機構を備えても良い。
【００１１】
前記第一のボール保持具は、第一のボール保持具支持部によって前記貯留空間内に支持されるようにしても良い。前記第二のボール保持具は、前記第一のボール保持具支持部によって支持された前記第一のボール保持具に対して、前記保持具移動機構によって移動させられる構成としても良い。
【００１２】
前記保持具移動機構には、前記第二のボール保持具を上方から押圧する押圧部材を備えても良い。前記保持具移動機構は、前記貯留空間を閉塞する蓋体に設けても良い。
【００１３】
さらに、前記第一のボール保持具と前記第二のボール保持具を互いに近接又は離隔させる際に前記第一のボール保持具又は前記第二のボール保持具をガイドする保持具ガイド部材を設けても良い。
【００１４】
前記第一のボール保持具に洗浄用ボールを収容させるためのボール配列用冶具を備えても良い。前記ボール配列用冶具には、洗浄用ボールを１個ずつ通過させる配列用穴を複数備えても良い。前記配列用穴は、前記複数の第一のカップの各開口部に連通する位置にそれぞれ設けても良い。
【００１５】
前記ボール配列用冶具には、前記複数の配列用穴が設けられた配列板と、前記複数の配列用穴を囲む側壁とを備えても良い。
【００１６】
また、本発明によれば、液体を通過させる液体通流路の洗浄に用いられるスポンジ製の洗浄用ボールに液体を含浸させる洗浄用ボール含液処理方法であって、洗浄用ボールを第一のカップと第二のカップとの間に挟み、前記第一のカップと前記第二のカップとを互いに近接させることにより、洗浄用ボールをボール状のまま収縮させ、前記収縮させた状態の洗浄用ボールを液体に浸漬させ、前記液体中において前記第一のカップと前記第二のカップを互いに離隔させ、洗浄用ボールを膨張させることを特徴とする、洗浄用ボール含液処理方法が提供される。
【００１７】
この洗浄用ボール含液処理方法においては、前記第一のカップに洗浄用ボールを収容した後、前記第一のカップに対して前記第二のカップを近接させるようにしても良い。
【００１８】
また、複数の前記第一のカップと複数の前記第二のカップをそれぞれ互いに近接させることにより、複数の洗浄用ボールを一括して収縮させ、前記複数の第一のカップと前記複数の第二のカップをそれぞれ互いに離隔させることにより、前記複数の洗浄用ボールを一括して膨張させるようにしても良い。
【発明の効果】
【００１９】
本発明によれば、洗浄用ボールを第一のカップと第二のカップとの間に挟むことにより、確実に収縮させることができる。また、第一のカップと第二のカップを互いに離隔させることにより、洗浄用ボールを元の大きさに膨張させ、洗浄用ボールに対して液体を確実に含浸させることができる。洗浄用ボールをボール状のまま収縮させることにより、洗浄用ボールの損傷を防止できる。第一のカップと第二のカップを複数備えることにより、複数の洗浄用ボールを確実に収縮及び膨張させることができる。従って、複数の洗浄用ボールに対して液体を確実に含浸させることができる。
【発明を実施するための最良の形態】
【００２０】
以下、本発明にかかる実施形態を説明する。図１は、スポンジ製の洗浄用ボールＢに冷却水Ｗを含浸させる洗浄用ボール含液処理装置としての含液処理装置１を示している。
【００２１】
本実施形態において、スポンジ製の洗浄用ボールＢ（スポンジボール）は、例えば復水器（蒸気タービンから排出される蒸気を冷却水Ｗと熱交換させて冷却し、復水させる熱交換器）内において冷却水Ｗを通過させる冷却水用流路を洗浄するためのものであり、冷却水Ｗと共に復水器の冷却水用流路に通過させられるものである。即ち、液体とは冷却水Ｗであり、例えば海水あるいは工業用水等である。液体を通過させる液体通流路とは、復水器の冷却水用流路である。なお、復水器に一度に循環させる洗浄用ボールＢの個数は、数百個程度（例えば約４００個程度）である。
【００２２】
洗浄用ボールＢは略球形をなし、直径ＤＢ（通常の無負荷状態における直径）は例えば約２９ｍｍ程度である。洗浄用ボールＢの材質は、弾性を有するもの、例えば多孔質（ポーラス状）の天然ゴム等からなるスポンジ材である。
【００２３】
図１に示すように、洗浄用ボール含液処理装置としての含液処理装置１は、冷却水Ｗと洗浄用ボールＢを入れる貯留容器２と、複数の洗浄用ボールＢを収容するボール収容器３を備えている。さらに、ボール収容器３（後述するボール下部保持具７１）に洗浄用ボールＢを収容させるために用いられるボール配列用冶具４（図２参照）を備えている。
【００２４】
図１に示すように、貯留容器２は、上面が開口され下面が閉塞された貯留容器本体１０と、貯留容器本体１０の上面に形成された開口部１１を閉塞する蓋体１２とを備えている。貯留容器２の内部は、冷却水Ｗを貯留し、かつ、ボール収容器３（洗浄用ボールＢ）を収納して冷却水Ｗに浸漬させる貯留空間１３となっている。また、貯留容器２には、ボール収容器３に対して洗浄用ボールＢを変形させる動力（本実施形態では、後述するボール下部保持具７１に対して後述するボール上部保持具７２を近接させる動力）を与える保持具移動機構１５を有している。
【００２５】
貯留容器本体１０は、略円筒形状をなす側壁２１と、略円板状の底板２２を備えており、上面は略円形の開口部１１となっている。側壁２１や開口部１１の内径は、例えば約５００ｍｍ程度であっても良い。蓋体１２は、例えば略円板状をなし、開口部１１を上方から気密に閉塞するようになっている。
【００２６】
側壁２１には、冷却水Ｗ（及び洗浄用ボールＢ）を貯留空間１３に導入させる導入路３１と、冷却水Ｗ（及び洗浄用ボールＢ）を貯留空間１３から導出させる導出路３２が接続されている。
【００２７】
導入路３１には、導入路３１を開閉させる開閉弁３３が設けられている。導入路３１の上流側は、例えば図示しない復水器の冷却水用流路から冷却水Ｗ（及び洗浄用ボールＢ）を排出させる復水器冷却水排出路等に接続されている。
【００２８】
導出路３２の上流端は、導入路３１よりも下方（例えば底板２２近傍）に開口されている。また、導出路３２には、導出路３２を開閉させる開閉弁３４が設けられている。導出路３２の下流側は、例えば図示しない復水器の冷却水用流路に冷却水Ｗ（及び洗浄用ボールＢ）を供給する復水器冷却水供給路等に接続されている。
【００２９】
側壁２１の内周面には、貯留空間１３に収納された状態のボール収容器３を支持する（後述するボール下部保持具７１を支持する第一のボール保持具支持部としての）保持具支持部３７が設けられている。保持器支持部３７は、貯留空間１３内の所定の高さ（導入路３１よりも上方）において、例えば側壁２１の内周面から内側に突出するように、略円環状に設けられている。即ち、保持器支持部３７の上面にボール収容器３（ボール下部保持具７１）の下面周縁部を載せることにより、ボール収容器３を導入路３１よりも上方に支持するように構成されている。
【００３０】
保持具移動機構１５は、ボール収容器３（後述する第二のボール保持具７１）を上方から押圧する押圧部材４１を備えている。さらに、押圧部材４１を移動させる動力を発生させる駆動源４２（例えば電気モータ等）と、駆動源４２によって発生させられた動力を押圧部材４１に対して伝達させる動力伝達部４３を有している
【００３１】
押圧部材４１は、図示の例では、略円板状の板体４５と、板体４５を保持する直棒（丸棒）状の棒体４６とによって構成されている。板体４５は、蓋体１２の下方（貯留空間１３の内部）において略水平に設けられている。棒体４６は、貯留空間１３の中央部に沿って略鉛直に設けられている。棒体４６の下端部は、板体４５の中央部を保持している。
【００３２】
棒体４６の上端部は、蓋体１２の中央部において、蓋体１２の外側（上面）に突出させられており、蓋体１２に対して昇降可能に保持されている。また、棒体４６の上端部の外周面には、ねじ溝４７が形成されている。一方、蓋体１２の中央部には、棒体４６を保持する棒体保持孔４８が設けられている。なお、棒体４６は、棒体保持孔４８においては中心軸方向（略鉛直方向）にのみ移動できるように保持されており、例えば棒体４６の中心軸を中心として回転することはできないように規制されている。
【００３３】
駆動源４２は、例えば蓋体１２の外面（上面）に固定されている。駆動源４２のシャフト５１は、蓋体１２に対して略平行な半径方向（略水平方向）に向けられている。
【００３４】
動力伝達部４３は、例えば２個のかさ歯車５３，５４からなる歯車列を備えている。かさ歯車５３は、駆動側歯車であり、駆動源４２のシャフト５１に取り付けられており、シャフト５１の中心軸を中心として、シャフト５１と一体的に回転するようになっている。一方、かさ歯車５４は、従動側歯車であり、蓋体１２に対して固定された歯車保持体５５によって、回転可能に保持されている。即ち、蓋体１２及び棒体４６に対して回転可能に（蓋体１２の中央部を通る中心軸（棒体４６）を中心として回転できるように）保持されている。かさ歯車５４の中央部には、棒体４６を保持する棒体保持孔６１が設けられており、棒体保持孔６１の内周面には、棒体４６のねじ溝４７と螺合するねじ溝６２が形成されている。
【００３５】
即ち、この保持具移動機構１５においては、駆動源４２の駆動によってシャフト５１及びかさ歯車５３を回転させると、かさ歯車５３の回転に伴ってかさ歯車５４（ねじ溝６２）が回転するように構成されている。ここで、ねじ溝６２が回転しても、棒体４６（ねじ溝４７）は回転できないように規制されているため、棒体４６（ねじ溝４７）はねじ溝６２によって押され、棒体４６の中心軸方向に沿って、かさ歯車５４及び蓋体１２に対して昇降移動するように構成されている。また、駆動源４２の回転方向（シャフト５１、かさ歯車５３、５４の回転方向）を変えることで、棒体４６の移動方向を上昇方向と下降方向とに切り替えることが可能な構成になっている。
【００３６】
なお、保持具移動機構１５は、蓋体１２に設けられているので、蓋体１２と一体的に、貯留容器本体１０に対して取り付け及び取り外し可能になっている。このように構成すると、保持具移動機構１５や蓋体１２の取り付け及び取り外しが簡単である。また、保持具移動機構１５は、蓋体１２を貯留容器本体１０に対して取り付けるだけで、押圧部材４１を所定位置に配置できる構成になっている。従って、押圧部材４１の位置合わせが簡単である。
【００３７】
次に、ボール収容器３について説明する。図１に示すように、ボール収容器３は、複数の洗浄用ボールＢを保持する第一のボール保持具としてのボール下部保持具７１と、複数の洗浄用ボールＢ（洗浄用ボールＢの上部）を保持する第二のボール保持具としてのボール上部保持具７２とを備えている。また、ボール下部保持具７１とボール上部保持具７２を互いに近接及び離隔させる際にボール上部保持具７２をガイドする保持具ガイド部材７３が設けられている。さらに、ボール収容器３を貯留空間１３に対して搬入出させる際にボール収容器３（ボール下部保持具７１）を保持するための搬入出用保持部７５が設けられている。
【００３８】
図３は、ボール下部保持具７１の斜視図を示している。図４は、ボール上部保持具７２の斜視図を示している。また、図５は、ボール下部保持具７１とボール上部保持具７２を組み合わせた状態を拡大して示したものである。
【００３９】
図３に示すように、ボール下部保持具７１は、例えば略円板状に形成された保持具本体８０と、洗浄用ボールＢの下部を保持する第一のカップとしての下部カップ８１とを備えている。下部カップ８１は、保持具本体８０の一面側（上面側）に、複数取り付けられており、保持具本体８０の一面側全体に、均等に分布させた状態で配置されている。各下部カップ８１は、互いに同じ形状及び大きさを有している。
【００４０】
下部カップ８１は、一端部（下端部）が閉塞されており、他端部（上端部）が開口されたカップ状に形成されている。また、図５に示すように、下部カップ８１の内面は、下に向かって凹状をなす曲面になっており、例えば略円形の横断面形状（下部カップ８１の上下方向の中心軸に対して略垂直な面によって切断した断面形状）を有し、かつ、略円錐曲線に沿った曲線状（図示の例では、半楕円形）の縦断面形状（下部カップ８１の上下方向の中心軸を含む面によって切断した断面形状）を有している。即ち、下部カップ８１は、下端部から上端部に向かうに従い次第に内径が大きくなるように形成されている。
【００４１】
なお、下部カップ８１の上端部に形成された開口部８１ａの内径は、洗浄用ボールＢの直径ＤＢより大きく形成されている。また、下部カップ８１の内部空間は、直径ＤＢの洗浄用ボールＢを１個のみ収容できる大きさになっている。下部カップ８１の内部空間に１個の直径ＤＢの洗浄用ボールＢを入れた状態では、洗浄用ボールＢは下部カップ８１の底部から離れた位置に保持されるようになっている。さらに、下部カップ８１の内面における下端部（底部）は、略半球面（洗浄用ボールＢの直径ＤＢよりも小さい直径ＤＳを有する球の半球面）に沿った曲面になっている。即ち、曲率半径ＤＳ／２を有する曲面になっている。洗浄用ボールＢの直径ＤＢが約２９ｍｍである場合、直径ＤＳは、例えば約１０ｍｍ程度であっても良い。
【００４２】
また、下部カップ８１には、冷却水Ｗや空気を下部カップ８１の内外に通過させる複数の通過孔８１ｂが開口されている。図６に示すように、通過孔８１ｂは、下部カップ８１の壁部全体に、細孔状に設けられている。このような通過孔８１ｂを設けると、下部カップ８１内で洗浄用ボールＢを変形させる際、下部カップ８１の内外に冷却水Ｗや空気を円滑に通過させることができ、洗浄用ボールＢを円滑に変形させることができる。
【００４３】
また、ボール下部保持具７１には、前述した保持具ガイド部材７３が取り付けられている。図３に示す例では、保持具ガイド部材７３は、保持具本体８０に対して略垂直に立設された略直棒状をなし、保持具本体８０の上面から上方に向かって突出させられている。また、保持具ガイド部材７３は、保持具本体８０の上面周縁部において複数箇所（図示の例では４箇所）に設けられており、例えば保持具本体８０の周方向において等間隔を空けた位置に設けられている。
【００４４】
さらに、ボール下部保持具７１には、前述した搬入出用保持部７５が取り付けられている。図３に示す例では、搬入出用保持部７５は、例えば先端部（上端部）が横向きに（保持具本体８０の中央部側から外周側に向かうように半径方向に沿って）折れ曲がった略Ｌ字状をなし、保持具本体８０の上面周縁部において複数箇所（図示の例では４箇所）に、また、周方向において等間隔を空けた位置に設けられている。
【００４５】
なお、かかる搬入出用保持部７５には、例えば図１に示すような搬入出用保持棒８５の下端部に設けられた係合部８５ａを係合させることができる。図示の例では、係合部８５ａは、搬入出用保持部７５の上端部を保持可能な係合溝を備えている。
【００４６】
次に、ボール上部保持具７２について説明する。図４に示すように、ボール上部保持具７２は、例えば略円板状に形成された保持具本体９０と、洗浄用ボールＢの上部を保持する第二のカップとしての上部カップ９１とを備えている。上部カップ９１は、保持具本体９０の一面側（下面側）に、複数取り付けられており、保持具本体９０の一面側全体に、均等に分布させた状態で配置されている。また、各上部カップ９１は、前述したボール下部保持具７１に設けられている複数の下部カップ８１にそれぞれ１つずつ対応する位置に設けられている。各上部カップ９１は、互いに同じ形状及び大きさを有している。
【００４７】
上部カップ９１は、一端部（上端部）が閉塞されており、他端部（下端部）が開口された上下逆向きのカップ状に形成されている。また、図５に示すように、上部カップ９１の内面は、上に向かって凹状をなす曲面になっており、例えば略円形の横断面形状（上部カップ９１の上下方向の中心軸に対して略垂直な面によって切断した断面形状）を有し、かつ、略円錐曲線に沿った曲線状（図示の例では、楕円形の頂部に沿った曲線状）の縦断面形状（上部カップ９１の上下方向の中心軸を含む面によって切断した断面形状）を有している。即ち、上部カップ９１は、上端部から下端部に向かうに従い次第に内径が大きくなるように形成されている。
【００４８】
なお、上部カップ９１の下端部の外径は、下部カップ８１の開口部８１ａの内径よりも小さく形成されている。即ち、上部カップ９１の下端部に形成された開口部９１ａの内径は、洗浄用ボールＢの直径ＤＢより小さく形成されている。また、上部カップ９１の内面における上端部（頂部）は、略半球面（洗浄用ボールＢの直径ＤＢよりも小さい直径ＤＳを有する球の半球面）に沿った曲面になっている。即ち、例えば下部カップ８１の底部とほぼ同じ曲率半径（ＤＳ／２）を有している。
【００４９】
即ち、前述した下部カップ８１と上部カップ９１は、下部カップ８１の内部に上部カップ９１を上方から進入させることが可能な大きさになっており、さらに、下部カップ８１と上部カップ９１の間に洗浄用ボールＢを挟んだ状態で互いに近接することにより、洗浄用ボールＢをボール状（球状）のままで収縮させることが可能な形状（換言すれば、直径ＤＢよりも小さな直径ＤＳを有する球状に変形させることが可能な形状）を有している。
【００５０】
上部カップ９１には、冷却水Ｗや空気を上部カップ９１の内外に通過させる複数の通過孔９１ｂが開口されている。図７に示すように、通過孔９１ｂは、上部カップ９１の壁部全体に、細孔状に設けられている。このような通過孔９１ｂを設けると、洗浄用ボールＢを変形させる際、上部カップ９１の内外に冷却水Ｗや空気を円滑に通過させることができ、洗浄用ボールＢを円滑に変形させることができる。
【００５１】
また、ボール上部保持具７２には、前述した保持具ガイド部材７３を通過させるためのガイド用孔９３が設けられている。図４に示すように、ガイド用孔９３は、保持具本体９０の周縁部において保持具ガイド部材７３に対応する位置、即ち複数箇所（図示の例では４箇所）に、また、保持具本体９０の周方向において等間隔を空けた位置に設けられている。
【００５２】
なお、上述した貯留容器２、ボール収容器３を構成する材質としては、洗浄水Ｗに対する耐腐食性を有するものを使用することが好ましい。例えば洗浄水Ｗが海水である場合は、ステンレス鋼（ＳＵＳ３１６Ｌ等）、チタン（Ｔｉ）等を使用しても良い。
【００５３】
次に、ボール配列用冶具４について説明する。図２に示すように、ボール配列用冶具４は、略円板状の配列板１００を備えている。配列板１００には、洗浄用ボールＢを１個ずつ通過させる配列用穴１０１が、複数設けられている。各配列用穴１０１は、略円形に形成されており、その内径は、洗浄用ボールＢの直径よりも若干大きく（洗浄用ボールＢの直径の２倍よりは小さく）なっている。また、各配列用穴１０１は、前述したボール下部保持具７１に設けられている複数の下部カップ８１にそれぞれ１つずつ対応する位置に開口されている。
【００５４】
さらに、配列板１００の上面には、複数の配列用穴１０１を囲むように設けられた側壁１０２が設けられている。側壁１０２は、配列板１００の周縁部に沿って、環状に設けられている。即ち、ボール配列用冶具４は、配列板１００と側壁１０２からなるトレー状の形状を有しており、複数の配列用孔１０１は、側壁１０２の内側に設けられている。このような側壁１０２を設けることにより、洗浄用ボールＢをボール下部保持具７１に配列（保持）させる際などに、配列板１００上（側壁１０２の内側）に供給した洗浄用ボールＢが側壁１０２の外側に逃げることを防止でき、洗浄用ボールＢの配列を円滑に行い易くなる。なお、側壁１０２の高さは、洗浄用ボールＢの直径より大きい寸法にしても良い。そうすれば、洗浄用ボールＢが側壁１０２を越えて外側に転がり出ることを、確実に防止できる。
【００５５】
配列板１００の下面には、配列板１００を支持する配列板支持体１０３が設けられている。この配列板支持体１０３は、例えば配列板１００の周縁部に沿って環状に設けられている。また、配列板支持体１０３の高さは、下部カップ８１の高さ（保持具本体８０の上面と下部カップ８１の上縁部との間の高さ）に対してほぼ同じか若干大きい寸法になっている。即ち、図８に示すように、配列板支持体１０３の下端を保持具本体８０の上面周縁部に載せることにより、配列板１００を下部カップ８１の上方に近接させた状態で略水平に、また、各下部カップ８１の開口部８１ａの上方に対して配列用穴１０１をそれぞれ１つずつ対応させた状態で支持できるように構成されている。
【００５６】
次に、以上のように構成された含液処理装置１を用いた洗浄用ボール含液処理方法について説明する。先ず、導入路３１の開閉弁３３を開くことにより、導入路３１から貯留空間１３に対して、冷却水Ｗ及び複数の洗浄用ボールＢを導入させる。その後、開閉弁３３、３４を閉じ、貯留空間１３に冷却水Ｗ及び複数の洗浄用ボールＢを貯留させる。そして、蓋体１２を外して開口部１１を開口させ、貯留空間１３内の複数の洗浄用ボールＢを冷却水Ｗから掬い取り、開口部１１を通じて取り出す。さらに、取り出した洗浄用ボールＢを点検し、損傷があるもの等は除去し、新品の洗浄用ボールＢと交換する。
【００５７】
冷却水Ｗから一旦取り出されて脱水している洗浄用ボールＢや、新品の洗浄用ボールＢ等、冷却水Ｗを含浸させる必要があるものは、以下のようにして含液処理を行う。
【００５８】
先ず、貯留容器２の外部において、洗浄用ボールＢをボール収容器３に保持させる作業を行う。この作業においては、最初にボール下部保持具７１に対してボール配列用冶具４をセットする（図８参照）。即ち、ボール下部保持具７１を例えば作業台等に載せ、下部カップ８１を保持具本体８０の上方に向け、保持具本体８０を略水平にした状態で保持し、かかる保持具本体８０の上面に、ボール配列用冶具４の配列板支持体１０３を載せる。これにより、配列板１００を複数の下部カップ８１に近接させ、各下部カップ８１の開口部８１ａの上方に各配列用穴１０１をそれぞれ配置し、複数の開口部８１ａと複数の配列用穴１０１をそれぞれ連通させた状態にする。
【００５９】
こうして、ボール下部保持具７１に対してボール配列用冶具４をセットしたら、配列板１００の上面に複数の洗浄用ボールＢを供給する。すると、各洗浄用ボールＢは、配列用穴１０１（開口部８１ａ）に１つずつ落下し、各下部カップ８１の内部には、洗浄用ボールＢが１つずつ収容される。即ち、下部カップ８１の内部に１個の洗浄用ボールＢが収容されると、収容された洗浄用ボールＢによって開口部８１ａ付近が塞がれるので、他の洗浄用ボールＢがその下部カップ８１に落下しようとしても、既に収容されている洗浄用ボールＢによって邪魔され、侵入できない状態になる。即ち、下部カップ８１に２個以上の洗浄用ボールＢを収容できない状態になる。こうして、各下部カップ８１に洗浄用ボールＢを１つずつ保持させることができる。
【００６０】
なお、配列板１００の周囲には側壁１０２が設けられているので、多数の洗浄用ボールＢを配列板１００の上面に一括して供給しても、洗浄用ボールＢが側壁１０２を越えてボール配列用冶具４の外側に転がることを防止でき、洗浄用ボールＢを側壁１０２の内側に保持できる。従って、複数の洗浄用ボールＢを配列板１００上で適当に転がすだけで、各下部カップ８１に対して洗浄用ボールＢを効率的に収容させることができる。
【００６１】
各下部カップ８１に洗浄用ボールＢをそれぞれ収容させたら、配列板１００上に残留している余った洗浄用ボールＢを配列板１００から除去した後、ボール配列用冶具４をボール下部保持具７１から取り外す。
【００６２】
次に、ボール下部保持具７１に対してボール上部保持具７２をセットする。かかる作業においては、先ず、上部カップ９１を保持具本体９０の下方に向けた状態で、ボール上部保持具７２に設けられている複数のガイド用孔９３に、ボール下部保持具７１に設けられている保持具ガイド部材７３の上端部をそれぞれ挿入させる。そして、各保持具ガイド部材７３に沿ってガイド用孔９３を移動させながら、ボール上部保持具７２をボール下部保持具７１に対して下降させる。こうして、複数の上部カップ９１を保持具本体９０と一体的に下降させ、複数の下部カップ８１に対して上方から一括して近接させる。そして、開口部８１ａを通じて、上部カップ９１を下部カップ８１の内部にそれぞれ１つずつ進入させる。
【００６３】
こうして、上部カップ９１と下部カップ８１を互いに近接させることにより、各上部カップ９１内に収容された洗浄用ボールＢは、上部カップ９１と下部カップ８１の間に挟まれて、確実に保持された状態になる（図５参照）。
【００６４】
なお、各上部カップ９１と各下部カップ８１を近接させる際は、ガイド用孔９３に保持具ガイド部材７３を挿入させることにより、各上部カップ９１が各下部カップ８１に対してそれぞれ１つずつ対応するように、位置合わせすることができる。従って、各上部カップ９１と各下部カップ８１を円滑かつ確実に合わせることができる。また、各ガイド用孔９３を各保持具ガイド部材７３に沿って下降させることにより、保持具本体９０を保持具本体８０に対して略水平にした状態のままで下降させることができる。即ち、複数の上部カップ９１と複数の下部カップ８１が、互いに同じ距離で同時に近接させられる。従って、例えば一部の洗浄用ボールＢのみが上部カップ９１と下部カップ８１との間で強く加圧されることを防止でき、洗浄用ボールＢの損傷を防止できる。また、このように上部カップ９１と下部カップ８１の間に挟まれたときも、各洗浄用ボールＢは、一方向に圧縮されることはなく、ボール状の形状を維持することができる。
【００６５】
こうして、ボール下部保持具７１に対してボール上部保持具７２をセットすることで、洗浄用ボールＢをボール収容器３に保持させることができる。その後、かかるボール収容器３を貯留容器２にセットする。この作業においては、先ず、搬入出用保持棒８５の係合部８５ａを、搬入出用保持部７５にそれぞれ係合させる。かかる状態で、搬入出用保持棒８５を持ち上げると、ボール下部保持具７１を搬入出用保持棒８５と一体的に移動させることができ、さらに、ボール下部保持具７１に保持されている洗浄用ボールＢとボール上部保持具７２も、ボール下部保持具７１と一体的に移動させることができる。
【００６６】
作業員は、搬入出用保持棒８５の上端部を把持しながら、ボール収容器３を保持し、開口部１１を通じて貯留空間１３内に上方から収納させる。そして、ボール収容器３（保持具本体８０の下面周縁部）を保持器支持部３７の上面に載せて支持させる。すると、ボール収容器３（下部カップ８１、上部カップ９１、及び複数の洗浄用ボールＢ）が冷却水Ｗに浸漬した状態になる。なお、ボール収容器３を保持器支持部３７に載せた後は、搬入出用保持棒８５の係合溝８５ａを搬入出用保持部７５からそれぞれ外し、搬入出用保持棒８５を貯留空間１３の外部に取り出すようにしても良い。
【００６７】
その後、蓋体１２によって開口部１１を閉塞させる（図１参照）。すると、保持具移動機構１５も蓋体１２と共に所定位置に配置される。即ち、板体４５がボール収容器３の上方（保持具本体９０の上面中央部上方）に位置合わせされた状態で配置される。
【００６８】
次に、駆動源４２を駆動させ、動力伝達部４３のシャフト５１、かさ歯車５３，５４をそれぞれ回転させることにより、押圧部材４１を蓋体１２に対して下降させる。即ち、板体４５を棒体４６と一体的に下降させ、ボール収容器３の上面（保持具本体９０の上面）に近接させる。さらに押圧部材４１を下降させ、板体４５を保持具本体９０の上面に対して押し当てると、ボール収容器３は、保持器支持部３７と板体４５との間に挟まれた状態となり、上下方向において加圧される。すると、各上部カップ９１は、下部カップ８１内において洗浄用ボールＢを押し潰しながら下降させられる。即ち、各下部カップ８１と各上部カップ９１の間に挟まれている洗浄用ボールＢの弾性力に抗して、下部カップ８１の底部に向かって移動させられる。
【００６９】
以上のような押圧部材４１の押圧により、各上部カップ９１が下降させられると、各洗浄用ボールＢは冷却水Ｗ中に浸漬させられた状態において、それぞれボール状のまま収縮しながら、即ち、各洗浄用ボールＢの直径が次第に減少させられながら、下部カップ８１の底部に押し付けられる。各洗浄用ボールＢは、例えば上下方向の一方向においてのみ圧縮されることはなく、径方向全体において、等方的に圧縮させられる。このようにすると、洗浄用ボールＢが圧縮により損傷することを防止できる。
【００７０】
洗浄用ボールＢが収縮するとき、各洗浄用ボールＢからは、洗浄用ボールＢの細孔中に含まれていた空気が強制的に追い出され、冷却水Ｗ中に気泡となって放出される。なお、洗浄用ボールＢから放出された空気は、下部カップ８１の通過口８１ｂや上部カップ９１の通過口９１ｂを通じて、下部カップ８１や上部カップ９１の内部から外部に、円滑に流出させられる。従って、各洗浄用ボールＢを円滑、迅速に収縮させることができる。
【００７１】
こうして、上部カップ９１が下降させられ、洗浄用ボールＢが収縮すると、上部カップ９１の下縁部が、下部カップ８１の底部内面にそれぞれ当接する（即ち、図５において二点鎖線で示した状態になる）。すると、下部カップ８１の底部と上部カップ９１との間に、略球面状の内面がそれぞれ形成される。洗浄用ボールＢは、この球面状の内面に沿って、直径ＤＳのボール状になり、収縮した状態で保持される。
【００７２】
なお、このように押圧部材４１の押圧によって保持具本体９０を下降させるときも、各ガイド用孔９３は各保持具ガイド部材７３に沿って下降し、保持具本体９０は保持具本体８０に対して略水平にした状態で下降する。即ち、複数の上部カップ９１と複数の下部カップ８１が、互いに同じ距離で同時に一括して近接させられる。そのため、各洗浄用ボールＢを均等に加圧しながら、一括して収縮させることができる。従って、例えば一部の洗浄用ボールＢのみが強く加圧されることを防止でき、洗浄用ボールＢの損傷を防止できる。
【００７３】
こうして、押圧部材４１を所定位置まで下降させたら、駆動源４２の駆動を一旦停止させ、押圧部材４１を静止させる。即ち、ボール収容器３を保持器支持部３７と板体４５との間に挟んだ状態で保持し、また、洗浄用ボールＢをボール状のまま収縮させた状態で保持する。その後、駆動源４２を逆方向に駆動させ、動力伝達部４３のシャフト５１、かさ歯車５３，５４をそれぞれ逆方向に回転させることにより、押圧部材４１を蓋体１２に対して上昇させる。即ち、板体４５を棒体４６と一体的に上昇させ、ボール収容器３に対する押圧力を減少させる。
【００７４】
すると、ボール上部保持具７２は、各洗浄用ボールＢの弾性力（復元力）及び浮力を受けて、ボール下部保持具７１から上方に離隔する。即ち、各下部カップ８１と各上部カップ９１が互いに一括して同時に離隔させられる。各洗浄用ボールＢは、各下部カップ８１内において冷却水Ｗを吸収しながら一括して膨張し、それぞれ元の直径ＤＢに戻る。各洗浄用ボールＢは、例えば上下方向の一方向においてのみ膨張することはなく、径方向全体において、等方的に膨張する。このようにすると、洗浄用ボールＢが急激な膨張により損傷することを防止できる。
【００７５】
なお、このように洗浄用ボールＢを膨張させるとき、冷却水Ｗは、各下部カップ８１の通過口８１ｂや各上部カップ９１の通過口９１ｂを通じて、下部カップ８１や上部カップ９１の外部から内部に円滑に流入することができる。従って、各洗浄用ボールＢに対して、冷却水Ｗを円滑、迅速に吸収させることができる。
【００７６】
以上のようにして、各洗浄用ボールＢに冷却水Ｗを吸収（含浸）させたら、蓋体１２を外して開口部１１を開口させ、ボール下部保持具７１を貯留空間１３に入れたまま（洗浄用ボールＢを冷却水Ｗに浸漬させたまま）、ボール上部保持具７２をボール下部保持具７１から取り外し、貯留空間１３から取り出す。その後、作業員の手作業により、ボール下部保持具７１を持ち上げ、貯留空間１３内の冷却水Ｗの上方において横転させ、各下部カップ８１内の洗浄用ボールＢを下部カップ８１から落下させる。こうして、冷却水Ｗを十分に含浸した状態の洗浄用ボールＢを、貯留空間１３内の冷却水Ｗ中に投入させる。かかる洗浄用ボールＢは、冷却水Ｗ中で浮き上がることなく、貯留空間１３の底部に沈降する。
【００７７】
その後、ボール下部保持具７１を貯留容器２の外部に搬出し、上記の洗浄用ボールＢをボール収容器３に保持させる作業、ボール収容器３を貯留容器２にセットする作業等を繰り返し行うことにより、さらに複数の洗浄用ボールＢを含液処理することができる。
【００７８】
貯留空間１３内に含液処理が行われた洗浄用ボールＢが十分に蓄積されたら、開閉弁３３，３４を開き、貯留空間１３内の洗浄用ボールＢ及び冷却水Ｗを、導出路３２を通じて排出させ、復水器の冷却水用流路に導入させる。
【００７９】
かかる含液処理装置１によれば、洗浄用ボールＢを下部カップ８１と上部カップ９１との間に挟むことにより、確実に収縮させることができる。また、下部カップ８１と上部カップ９１を互いに離隔させることにより、洗浄用ボールＢを元の大きさに戻し、洗浄用ボールＢに対して冷却水Ｗを確実に含浸させることができる。特に、洗浄用ボールＢをボール状のまま収縮及び膨張させる（等方的に変形させる）ことにより、洗浄用ボールＢの損傷を効果的に防止できる。
【００８０】
また、複数の下部カップ８１と上部カップ９１を備えることにより、複数の洗浄用ボールＢをそれぞれ下部カップ８１と上部カップ９１によって一括して確実に変形させることができる。変形しない洗浄用ボールＢが発生することを防止でき、各洗浄用ボールＢを個別に十分に変形させることができる。従って、複数の洗浄用ボールＢを総て均等に変形させ、複数の洗浄用ボールＢに対して冷却水Ｗを確実に、均等に含浸させることができる。ひいては、各洗浄用ボールＢが冷却水用流路等で浮き上がることを防止して、冷却水用流路の洗浄をむらなく均一に行うことができるようになり、冷却水用流路に対する洗浄効果の向上を図ることができる。
【００８１】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００８２】
例えば以上の実施形態では、液体は海水等の冷却水Ｗとしたが、かかるものには限定されない。また、液体通流路は、復水器の冷却水用流路であるとしたが、液体が通過するものであれば良く、かかるものには限定されない。
【００８３】
以上の実施形態では、第一のカップ（下部カップ８１）は洗浄用ボールＢの下部を保持し、第二のカップ（上部カップ９１）は洗浄用ボールＢの上部を保持するとしたが、そのように上下方向において挟む形態には限定されない。例えば、第一のカップによって洗浄用ボールＢの左側を保持し、第二のカップによって洗浄用ボールＢの右側を保持するようにしても良い。即ち、横方向（左右方向）において挟むようにしても良い。この場合も、第一のカップと第二のカップにより、洗浄用ボールＢをボール状のまま変形させることができる。
【００８４】
また、以上の実施形態では、ボール上部保持具７２（上部カップ９１）を保持具移動機構１５によって貯留空間１３に対して移動（昇降）させることにより、下部カップ８１と上部カップ９１を近接させる構成としたが、かかる形態には限定されず、例えば、ボール下部保持具７１（下部カップ８１）を貯留空間１３に対して昇降移動させるようにしても良い。
【００８５】
保持具移動機構１５の構造も、以上のようなものには限定されず、例えばシリンダ機構（エアシリンダ等）を用いて押圧部材４１を昇降させるようにしても良い。また、作業員が手動によってハンドルを操作することにより、押圧部材４１を昇降させることができるような構成にしても良い。
【００８６】
保持具ガイド部材７３は、ボール下部保持具７１側に設けたが、勿論、ボール上部保持具７２（保持具本体９０）に設けても良い。この場合、ガイド用孔９３は、ボール下部保持具７１側（保持具本体８０）に開口させても良い。
【００８７】
下部カップ８１、上部カップ９１の形状も、以上の実施形態には限定されない。例えば下部カップ８１の内面と上部カップ９１の内面は、それぞれ略楕円曲線に沿った縦断面形状を有するとしたが、かかる断面形状は、他の円錐曲線（例えば円形、放物線、双曲線等）に沿った形状にしても良く、また、略卵殻形にしても良い。このような場合も、洗浄用ボールＢをボール状のまま収縮及び膨張させることが可能である。
【００８８】
また、第一のカップと第二のカップをそれぞれガイドするカップガイド構造を設けても良い。例えば図９、図１０に示すように、下部カップ８１には、上下に細長いカップガイド溝１１１を設け、上部カップ９１の下縁部には、カップガイド溝１１１に対応する位置に、細長い棒状（針状）のカップガイド体１１２を設けても良い。この場合、図１１に示すように、カップガイド体１１２をカップガイド溝１１１内に沿って移動させることにより、各上部カップ９１を確実にガイドすることができる。
【００８９】
また、図１０に示す例では、カップガイド体１１２は、複数設けられており、上部カップ９１の下縁部から外側に向かって放射状に広がるように配置されている。この場合、図１１に示すように、下部カップ８１内の洗浄用ボールＢの側部をカップガイド体１１２によって囲むことができる。即ち、上部カップ９１を下部カップ８１の底部から離隔させても、洗浄用ボールＢが下部カップ８１と上部カップ９１との間から逃げることを防止でき、洗浄用ボールＢの変形をさらに円滑に行うことができる。
【００９０】
ボール配列用冶具４あるいはボール下部保持具７１には、例えばボール下部保持具７１に対してボール配列用冶具４の位置合わせを行うための位置合わせ用の構造を設けても良い。例えば図１２に示すように、ボール配列用冶具４の配列板支持体１０３の下縁部に、ボール配列用冶具４の位置合わせを行う位置合わせ用突起１２１を設け、ボール下部保持具７１の保持具本体８０に、位置合わせ用突起１２１と係合可能な位置合わせ用溝１２２を設けても良い。
【００９１】
以上の実施形態では、ボール配列用冶具４は配列板１００と配列用穴１０１を備える構造としたが、かかるものには限定されず、例えば図１３に示すボール配列用冶具１３０のように、洗浄用ボールＢの上部を１つずつ吸着保持する複数の吸着カップ１３１と、吸着カップ１３１内を強制的に吸引する吸引器１３２を設けた構造にしても良い。図示の例では、複数の吸着カップ１３１は、冶具本体１３３の下面において、ボール下部保持具７１の下部カップ８１に対応する位置にそれぞれ設けられている。各吸着カップ１３１には、吸引器１３２に接続された吸引路１３４がそれぞれ接続されている。即ち、複数の洗浄用ボールＢの上方に吸着カップ１３１を近接させ、吸引器１３２を作動させることにより、各吸着カップ１３２によって洗浄用ボールＢの上部をそれぞれ１つずつ吸着し、複数の洗浄用ボールＢを下部カップ８１の位置に対応するように、自動的に配列することができる。かかる状態で、吸着カップ１３１をボール下部保持具７１の下部カップ８１に近接させ、吸引器１３２の作動を停止させることにより、各吸着カップ１３１から洗浄用ボールＢを離して落下させると、各下部カップ８１に対して洗浄用ボールＢを一括して受け渡すことができる。
【産業上の利用可能性】
【００９２】
本発明は、例えば熱交換器内に設けられている冷却水流路の洗浄に用いられる洗浄用ボールに液体を含浸させるための含液処理に適用できる。
【図面の簡単な説明】
【００９３】
【図１】本実施形態にかかる含液処理装置の縦断面図である。
【図２】ボール配列用冶具の構成を説明する斜視図である。
【図３】ボール下部保持具の構成を説明する斜視図である。
【図４】ボール上部保持具の構成を説明する斜視図である。
【図５】ボール下部保持具の下部カップとボール上部保持具の上部カップを組み合わせた状態、及び、洗浄用ボールを収縮させる状態を説明する縦断面図である。
【図６】下部カップを上方からみた状態を示す平面図である。
【図７】上部カップを下方からみた状態を示す底面図である。
【図８】ボール配列用冶具をボール下部保持具にセットした状態を説明する縦断面図である。
【図９】下部カップにカップガイド用溝を備えた実施形態にかかる下部カップの平面図である。
【図１０】上部カップにカップガイド体を備えた実施形態にかかる上部カップの底面図である。
【図１１】カップガイド用溝を備えた下部カップとカップガイド体を備えた上部カップを組み合わせた状態、及び、洗浄用ボールを収縮させる状態を説明する縦断面図である。
【図１２】ボール配列用冶具に位置合わせ用突起を備えた実施形態において、ボール配列用冶具をボール下部保持具にセットした状態を説明する縦断面図である。
【図１３】別の実施形態にかかるボール配列用冶具を示した側面図である。
【符号の説明】
【００９４】
Ｂ      洗浄用ボール
１      含液処理装置
２      貯留容器
３      ボール収容器
４      ボール配列用冶具
１２    蓋体
１３    貯留空間
１５    保持具移動機構
７１    ボール下部保持具
７２    ボール上部保持具
７３    保持具ガイド部材
８１    下部カップ
８１ａ  開口部
８１ｂ  通過孔
９１    上部カップ
９１ａ  開口部
９１ｂ  通過孔
１００  配列板
１０１  配列用穴
【図１】
2008175435.tif 000003
【図２】
2008175435.tif 000004
【図３】
2008175435.tif 000005
【図４】
2008175435.tif 000006
【図５】
2008175435.tif 000007
【図６】
2008175435.tif 000008
【図７】
2008175435.tif 000009
【図８】
2008175435.tif 000010
【図９】
2008175435.tif 000011
【図１０】
2008175435.tif 000012
【図１１】
2008175435.tif 000013
【図１２】
2008175435.tif 000014
【図１３】
2008175435.tif 000015